(57)【要約】      （修正有）【課題】液晶装置の前面と後面に位置する偏光フィルムの一部又は全体に同一の偏光角を持つようにし、他の一部又は全体の偏光フィルムは９０度の偏光角を持つようにするか、或は偏光角の反対効果が現れるようにする反転フィルムを形成することによって、液晶装置のｏｎ／ｏｆｆで、相互異なる偏光角を持つ偏光フィルムの表示内容が反復的に移動しながらディスプレーされる液晶表示装置を提供する。【解決手段】液晶装置１０の前面と後面に位置する第１，２，３偏光フィルム１１，１２，１３（又は反転フィルム）各々の前面と後面に光を透過する透過性（フィルター性）又は半透過性で塗布或は印刷された文字や数字又は絵等が直接間接的に着色され、その後面には光を反射する反射板１４が位置して、液晶装置のｏｎ／ｏｆｆで反復的な動きを持つようにディスプレーする。【選択図】図２
0003155726.tif 000002
【実用新案登録請求の範囲】
【請求項１】
液晶装置の前面又は後面に配置される第１偏光フィルムと、反対側の一側面に同一の偏光角を持つ第２偏光フィルム（又は第２反転フィルム）と、第１偏光フィルムに垂直の偏光角を持つ第３偏光フィルム（又は第３反転フィルム）の後面に位置して光を反射する反射板で構成されるが；
上記第１偏光フィルム、第２偏光フィルム（又は第２反転フィルム）或は第３偏光フィルム（又は第３反転フィルム）各々に対応される部分に、光を透過する透過性（フィルター性）又は半透過性で塗布或は印刷された文字や数字または絵等が直接間接的に着色される各々の第１表示面と第２表示面を含んで、動きの効果を表すのを特徴とする液晶表示装置。
【請求項２】
第１項において、上記第１表示面及び第２表示面は
−  第１偏光フィルムの前面と後面
−  第１偏光フィルムと液晶装置の間
−  第１偏光フィルムと第２，３偏光フィルム（又は第２，３反転フィルム）の間に位置している液晶装置の前面又は後面
−  上記液晶装置と上記第２，３偏光フィルム（又は第２，３反転フィルムの間
−  第２，３偏光フィルム（又は第２，３反転フィルム）と反射板の間、
この中で選択された或一部分に位置するのを特徴とする液晶表示装置。
【考案の詳細な説明】
【技術分野】
【０００１】  本考案は液晶装置の前面と後面に位置する偏光フィルムの一部若しくは全体が同一の偏光角を有するか、或は偏光角の反対効果が現われるようにする反転フィルムを有し、また別の偏光フィルムは９０度の偏光角を有するように形成するか、又は偏光角の反対効果が現われるようにする反転フィルムを形成することにより、液晶装置のｏｎ／ｏｆｆで、相互異なる偏光角を有する偏光フィルムの表示内容が反復的に移動しながらディスプレーされるようにする液晶装置に関するものである。
【背景技術】
【０００２】  図１に示したように、一般的な液晶表示装置を利用した表示装置は液晶装置（１０）と液晶装置の前面及び後面に偏光フィルム（１１、１２）及び反射板（１４）が付着されて、電極に電力が供給されると、その電源によってセグメント電極が他の部分と異なる表示を行うことによって、文字、数字または絵などを表示して、所定の表示装置を構成するものである。【０００３】  しかし、このような液晶表示装置を中心とする一側面にのみ表示部が位置する為に、平面的な表示のみしかできないという問題がある。
また、本出願人は大韓民国実用新案第２０−０３８０９７２号で、無表示液晶表示装置と；上記液晶装置の両側に配置される前面及び後面偏光フィルムと  ；  上記片方の偏光フィルムに表示しょうとする表示内容のみが透過性で、塗布また印刷された広告シートを付着した液晶装置に、表示シートが表示図案の形態に形成されて、液晶装置の中央部に付着され、前面および後面の偏光フィルムが上記表示シートの前面または後面に付着され、上記広告シートと同一の大きさの形状で形成され、上記の無表示液晶表示装置の一側面には発光部が設置され、上記の無表示液晶表示装置が駆動する時、上記の表示シートに順次的に光を照査する液晶表示装置を利用した表示装置を提示した。【０００４】  しかし、この登録実用新案により製作された装置では、文字、数字また絵などが現われと消えが反復し、他の表示装置と比べて、動的に演出されることによって、一般人の目に鮮明に目立つようになり、表示効果を極大化することを可能にしたが、やはり同一の座標（位置）で現われと消えを反復することにより、動的であるが、静的に認知され、直ぐ食傷する問題点が依然残っている。
【考案の内容】
【解決しようとする課題】
【０００５】  本考案の目的は、上記のような問題点を解決するために、液晶装置の前面と後面に位置する偏光フィルムの一部または全体が同一の偏光角を有するか、或は偏光角の反対効果が現われるようにする反転フィルムを有して、或は他の一部の偏光フィルムは９０度の偏光角を有するように形成するか、或は偏光角の反対効果が現われるようする反転フィルムを形成することによって液晶装置のｏｎ／ｏｆｆで、相互異る偏光角を有する偏光フィルムの表示内容が反復的に移動しながら、ディスプレーされるようにする液晶表示装置を提供することである。
【課題を解決するための手段】
【０００６】  上記のような目的を達成するための、本考案の液晶表示装置は液晶装置と；上記の液晶装置の前面または後面に配置される第１偏光フィルムと；上記第１偏光フィルムが位置する液晶装置の反対側の一側面に位置して上記第１偏光フィルムに同一の偏光角を有する第２偏光フィルム（若しくは第２反転フィルム）と；上記第１偏光フィルムが位置する液晶装置の反対側の他方の側面に位置する上記第１偏光フィルムに垂直の偏光角を有する第３偏光フィルム（若しくは第３反転フィルム）と；上記第２、３偏光フィルム（若しくは第２、３反転フィルム）の後面に位置しながら、光を反射する反射板と；上記第１、２偏光フィルム（若しくは第２反転フィルム）の上層部またはこれに対応する部分、また液晶表示装置に光を透過する透過性（フィルター性）、または半透過性で、塗布または印刷された文字、数字または絵などの第１表示面と第３偏光フィルム（若しくは第３反転フィルム）に対応する部分に光を透過する透過性（フィルター性）、または半透過性で、塗布または印刷された文字、数字または絵などの第２表示面と液晶装置の前面または後面の表面に直接また間接的に着色または印刷された文字、数字または絵などの第３表示面を含むのを特徴とする。
【０００７】  望ましいのは、上記第１表示面及び第２表示面は第１偏光フィルムの上層部または第１偏光フィルムと液晶装置の間、上記液晶装置と上記第２、３偏光フィルム（若しくは第２、３反転フィルム）の間、上記２、３偏光フィルム（若しくは第２、３変転フィルム）と反射板の間及び液晶装置前面または後面の表面に直接または間接的に着色または印刷の中で選択した或一部分に位置するのを特徴とすることである。
【０００８】  例を上げると、第１、２表示面（１６、１７）が第１偏光フィルム（１１）の前面または後面に位置するか、或は第１、２表示面（１６、１７）は液晶装置（１０）と第２、３偏光フィルムまたは第２、３反転フィルム（１２、１３）の間、または第２、３偏光フィルムまたは第２、３反転フィルム（１２、１３）と反射板（１４）の間に位置することは可能である。
【考案の効果】
【０００９】  以上で考察したように、本考案の液晶表示装置は異る偏光角を有する偏光フィルムに対応できるように表示内容を各々形成するため、液晶装置のｏｎ／ｏｆｆで、相互異る表示内容が表現される長所がある。
【図面の簡単な説明】
【００１０】
【図１】は一般的な液晶表示装置の分解斜視図
【図２】は本考案の第１実施例による液晶表示装置の分解図
【図３】は本考案の第２実施例による液晶表示装置の分解図
【図４】は本考案の第３実施例による液晶表示装置の分解図
【図５】は本考案の第４実施例による液晶表示装置の分解図
【図６】は本考案の液晶表示装置が適用された例示図
【図７】は本考案の液晶表示装置が適用された例示図
【考案の実施のための具体的な内容】
【００１１】  以下、本考案の実施例を、図面を根拠に詳細に説明すれば次の通りである。
【００１２】  図２は、本考案の第１実施例による液晶表示装置の分解図であり、図３は本考案の第２実施例に拠る液晶表示装置の分解図で、図４は本考案の第３実施例による液晶表示装置の分解図で、図５は本考案の第４実施例による液晶表示装置の分解図で、図６及び図７は本考案の液晶表示装置が適用された例示図である。
【００１３】  図２で図示されたように、本考案の第１実施例による液晶表示装置は相互対向して、接合された一番近いの透明板材の間に、液晶が内蔵された液晶装置（１０）と液晶のｏｎ／ｏｆｆが反復するように電源を提供する駆動部（未図示）を具備する。液晶装置（１０）は電力が供給されることによって液晶を駆動させ色相に変化させる。すなわち電力供給の前に光の透過を遮断する液晶は電力が供給されることによって光が液晶を透過させる。（または電力供給の前に光が透過される液晶は、電力が供給されると光の透過を遮断する）。
【００１４】  液晶装置（１０）の前面には透過した光を限定された方向にのみ進行させる第１偏光フィルム（１１）が位置する。液晶装置の後面一側面には第１偏光フィルム（１１）と同一の偏光角を有する第２偏光フィルまたは第２反転フィルム（１２）が位置し、液晶装置の後面他側面には、第１偏光フィルム（１２）と垂直の偏光角を有する第３偏光フィルムまたは第３反転フィルム（１３）が位置する。第２偏光フィルムまたは第２反転フィルム（１２）と第３偏光フィルムまたは第３反転フィルム（１３）の後面には反射板（１４）が位置する。この際、理解しやすくする為に、図面に偏向角を下線を引いて表した。
【００１５】  第１偏光フィルム（１１）の前面には、第２偏光フィルムまたは第２反転フィルム（１２）に対応する位置に直接または間接的に文字、数字または絵などが塗布または印刷された第１表示面（１６）が、第３偏光フィルムまたは第３反転フィルム（１３）に対応する位置に直接または間接的に文字、数字または絵などが塗布または印刷された第２表示面（１７）、または液晶装置（１０）の前面または後面に直接または間接的に文字、数字または絵などが塗布または印刷された第３表示面（１８、１９）が位置する。
【００１６】  一方では、液晶装置を中心にして第１偏光フィルム（１１）が前面に、第２、３偏光フィルムまたは第２、３反転フィルム（１２、１３）が後面に位置すると記載されているが、液晶パネルを中心にして、第１偏光フィルムは後面に、第２、３偏光フィルムまたは第２、３反転フィルムが前面に位置することも可能である。
【００１７】  これによって、電力が液晶パネル（１０）に供給されｏｎになると、同一の偏光角を有する第１偏光フィルム（１１）と第２偏光フィルムまたは第２反転フィルム（１２）により、第１表示面（１６）の内容が外部に表示されるが、第１偏光フィルム（１１）と９０度の偏光角を有する第３偏光フィルムまたは第３反転フィルム（１３）の前面に位置する第２表示面の内容は外部に現れない。また液晶装置がｏｆｆになると反対に、第１偏光フィルム（１１）と第２偏光フィルムまたは第２反転フィルム（１２）の前面に位置する第１表示面の表示内容が外部に表現されず、第３偏光フィルムまたは第３反転フィルム（１３）の前面に位置する第２表示面（１７）は外部に表現される。従って、液晶装置の電源が反復してｏｎ／ｏｆｆになると、第１表示面（１６）と第２表示面（１７）の内容が外部に反復的に表示され、２つの動きを持つようにすることも可能である。図２では第１表示面（１６）の″Ａ″と第２表示面（１７）の″Ｂ″が順次的に表示される。
【００１８】  図３で図示したように、本考案の第２実施例による液晶表示装置は、液晶装置（１０）の前面に第１偏光フィルム（１１）が位置し、液晶装置の後面一側面には第１偏光フィルムと同一の偏光角を有する第２偏光フィルム、または第２反転フィルム（１２）が位置し、液晶装置の後面の他側面には第１偏光フィルム（１２）に垂直の偏光角を有する第３偏光フィルムまたは第３反転フィルム（１３）が位置する。第２偏光フィルムまたは第２反転フィルム（１２）と第３偏光フィルムまたは第３反転フィルム（１３）の後面には反射板（１４）が位置する。
【００１９】  液晶装置（１０）と第２偏光フィルムまたは第２反転フィルム（１１）の間には直接または間接的に文字、数字または絵などが塗布または印刷された第１表示面（１６）を有し、液晶装置（１０）と第３偏光フィルムまたは第３反転フィルム（１３）の間には直接または間接的に文字、数字または絵などが塗布または印刷された第２表示面（１７）を有する表示部（１５）が位置する。
【００２０】  これによって、第１実施例と同じく電源が液晶装置（１０）に供給されｏｎになると、同一の偏光角を有する第１偏光フィルム（１１）と第２偏光フィルムまたは第２反転フィルム（１２）により、第１表示面（１６）の内容が外部に表現されるが、第１偏光フィルム（１１）と９０度の偏光角を有する第３偏光フィルムまたは反転フィルム（１３）の前面に位置する第２表示面（１７）の内容は外部に現れない。  また、液晶装置（１０）がｏｆｆになると、反対に第１偏光フィルム（１１）と第２偏光フィルムまたは第２反転フィルム（１２）の前面に位置する第１表示面（１６）の内容が外部で表示されず、第３偏光フィルムまたは第３反転フィルム（１３）の前面に位置する第２表示面（１７）は外部に表示される。  従って、液晶パネルに電源が反復してｏｎ／ｏｆｆになると第１広告面（１６）と第２広告面（１７）の内容が外部に反復表示され、２つの動きを持たせることが可能である。図３では第１表示面（１６）の″Ａ″と第２表示面（１７）の″Ｂ″が順次的に表示される。
【００２１】  また、図４で図示したように、本考案の第３実施例による液晶表示装置は、液晶装置（１０）の前面に第１偏光フィルム（１１）が位置し、液晶装置（１０）の後面の一側面には、第１偏光フィルムと同一の偏光角を有する第２偏光フィルムまたは第２反転フィルム（１２）が位置し、液晶装置（１０）の後面他側には第１偏光フィルム（１２）に垂直の偏光角を有する第３偏光フィルムまたは第３反転フィルム（１３）が位置する。第２偏光フィルムまたは第２反転フィルム（１２）と第３偏光フィルムまたは第３反転フィルム（１３）の後面には反射板が位置する。
【００２２】  第２偏光フィルムまたは第２反転フィルム（１１）と反射板（１４）の間には直接または間接的に文字、数字または絵などが塗布または印刷された第１表示面（１６）があり、第３偏光フィルムまたは第３反転フィルム（１３）と反射板（１４）の間には、文字、数字または絵などが塗布または印刷された第２表示面（１７）を有する表示部（１５）が位置する。
【００２３】  これによって、第１、２実施例と同じく電源が液晶装置（１０）に供給されｏｎになると、同一の偏光角を有する第１偏光フィルム（１１）と第２偏光フィルムまたは第２反転フィルム（１２）によって、第１表示面（１６）の内容は外部に表現されるが、第１偏光フィルム（１１）と９０度の偏光角を有する第３偏光フィルムまたは反転フィルム（１３）の前面に位置する第２表示面（１７）の内容は外部に現れない。  また、液晶装置（１０）がｏｆｆになると反対に第１偏光フィルム（１１）と第２偏光フィルムまたは第２反転フィルム（１２）の前面に位置する第１表示面（１６）の内容は外部に表現されず、第３偏光フィルムまたは第３反転フィルム（１３）の前面に位置する第２表示面（１７）は外部に表現される。従って、液晶装置に電源が反復してｏｎ／ｏｆｆになると第１広告面（１６）と第２広告面（１７）の内容が外部に反復表示され、２つの動きを持たせることが可能である。図４では、第１表示面（１６）の″Ａ″と第２表示面（１７）の″Ｂ″が順次的に表現される。
【００２４】  図５乃至、図５ｂで図示したように、本考案の第４実施例に拠る液晶表示装置は、液晶装置（１０）の前面に第１偏光フィルムが位置し、液晶装置の前面または後面に直接または間接的に文字、数字または絵などが、塗布または印刷された第３表示面（１８、１９）が位置し、第１偏光フィルム（１１）と同一の偏光角を有する第２偏光フィルムま第２反転フィルム（１２）と第１偏光フィルム（１１）と９０度の偏光角を有する第３偏光フィルムまたは大反転フィルム（１３）が位置し、その後面に反射板（１４）が位置する。
【００２５】  これによって、第１、２、３の実施例と同じく電源が液晶装置（１０）に供給されｏｎになると、同一の偏光角を有する第１偏光フィルム（１１）と第２偏光フィルムまたは第２反転フィルム（１２）によって、第１表示面（１６）の内容が外部に表現されるが、第１偏光フィルム（１１）と９０度の偏光角を有する第３偏光フィルムまた第３反転フィルム（１３）によって第２表示面（１７）の内容は外部に現れない。また液晶装置（１０）がｏｆｆになると、反対に第１偏光フィルム（１１）と第２偏光フィルムまたは第２反転フィルム（１２）によって、第２表示面（１７）は外部に表現されず、第１偏光フィルム（１１）と第３偏光フィルムまたは第３反転フィルム（１３）により、第２表示面（１７）の内容は外部に表現されるが、第１偏光フィルム（１１）と第２偏光フィルムまたは第２反転フィルム（１２）により第１表示面（１６）は外部に表現される。従って液晶装置の電源が反復してｏｎ／ｏｆｆになると第１表示面（１６）と第２表示面（１７）の内容が外部に反復表示され２つの動きを持たせることは可能である。図５ａと図５ｂでは第１表示面（１６）の″Ａ″と第２表示面（１７）の″Ｂ″が順次的に表現を反復するようになる。
【００２６】  図６ａ乃至図６ｂと図６ｃを参照して、本発明の実施例１を応用した第１作用状態を見ると、第１表示面に、縦に図案された五輪旗（２０）が位置し、第２表示面に、横に図された五輪旗（２１）が位置する。図６ｂに現れたように液晶装置（１０）に電源がｏｎなると液晶が作用して外部の光が第１表示面（１６）、第１偏光フィルム（１１）、液晶装置（１０）、第２偏光フィルムまたは第２反転フィルム（１２）、反射板（１４）及び縦五輪旗（２０）を順次的に透過されるようになり、縦五輪旗（２０）が表示される。また、図６ｃに現れたように液晶装置に電源がｏｆｆなると、第２表示面（１７）、第１偏光フィルム（１１）、液晶装置（１０）第３偏光フィルムまたは第３反転フィルム（１３）、反射板（１４）及び横五輪旗（２１）を順次的に透過され横五輪旗（２１）が表示される。従って電源が順次的に液晶装置（１０）にｏｎ／ｏｆｆが反復されると、五輪旗が縦方向に横方向に反復され、五輪旗が動いているものと認識することが可能である。
【００２７】  図７ａ乃至、図７ｂと図７ｃを参照して、本発明の実施例１を応用した第２作用状態を見ると、一部は、アトムの胴体が停止表示面（３０）に位置し、アトムの上げられた腕が第１表示面（３１）に位置し、アトムの下ろされた腕が第２表示面（３２）に位置する。停止表示面（３０）は電源がｏｎ／ｏｆｆとは関係なく、外部に表現されるため停止表示面（３０）に対応する偏光フィルムは一つの偏光フィルムのみを形成するか、または全ての偏光フィルムを除去する。この際アトムの形体以外の部分は不透明に彩色するか、或は透明の状態の背景として使用することが可能である。
【００２８】  一方では、アトムの上げられた腕の第１表示面（３１）に対応する液晶装置（１０）の前面には第１偏光フィルム（１１）が位置し、液晶装置（１０）の後面には第１偏光フィルムと同一の偏光角を有するように構成された第２偏光フィルムまたは第２反転フィルム（１２）を位置させ、アトムの下ろされた腕の第２表示面（３２）び対応する液晶装置（１０）の前面には第１偏光フィルム（１１）が位置し、液晶装置（１０）の後面には第１偏光フィルム（１１）と９０度の偏光角を有する第３偏光フィルムまたは第３反転フィルム（１３）を位置させる。
【００２９】  これにより、液晶装置（１０）に電源がｏｎになると図７ｂのように、アトムの胴体と上げられた腕が表示となり、電源がｏｆｆになると図７ｃのようにアトムの胴体と下ろされた腕が表現される。従って、電源が順次的に液晶装置（１０）にｏｎ／ｏｆｆになるとアトムの胴体で腕を上げた姿と下ろした姿が反復して腕が動いていると認識するようにすることが出来る。
【００３０】  以上本考案の望ましい実施例について詳細に記述したが、液晶装置（１０）を中心にして偏光フィルムが前面に、第２、３偏光フィルム（または第２、３反転フィルム）が後面に位置するものと記載したが、液晶装置（１０）を中心にして第１偏光フィルムは後面に、第２、３偏光フィルム（若しくは第２、３反転フィルム）が前面に位置することも可能である。従って、添付した請求範囲で定義された本発明の精神及び範囲に外れる事なく、本発明を多角的に変形、また変更して実施することが可能である。
【符号の説明】
【００３１】１０：液晶装置
１１：第１偏光フィルム
１２：第２偏光フィルムまたは第２反転フィルム
１３：第３偏光フィルムまたは第３反転フィルム
１４：反射板
１５：表示部
１６：第１表示面
１７：第２表示面
【図１】
0003155726.tif 000003
【図２】
0003155726.tif 000004
【図３】
0003155726.tif 000005
【図４】
0003155726.tif 000006
【図５】
0003155726.tif 000007
【図６】
0003155726.tif 000008
【図７】
0003155726.tif 000009
【手続補正書】
【提出日】平成21年8月19日(2009.8.19)
【手続補正１】
【補正対象書類名】実用新案登録請求の範囲
【補正対象項目名】全文
【補正方法】変更
【補正の内容】
【実用新案登録請求の範囲】
【請求項１】
液晶装置の前面と後面に位置する２枚の偏光フィルムの一部若しくは全体が同一の偏光角を有するか、或いは偏光角と反対効果が現れるようにする反転フィルムを有し、または２枚の偏光フィルムが９０度の偏光角を有するか、或いは偏光角と反対効果が現れるようにする反転フィルムを有するように形成し、一部非透過性の停止表示面と表示しようとする文字や絵の周囲の一部または全部を光が透過しないように処理することによって、液晶装置のオン／オフで、相互異なる偏光角を有するフィルムに対応する表示内容が反復的に点滅を繰り返すことにより、動映像の効果がディスプレーされるような液晶表示装置。
【手続補正２】
【補正対象書類名】明細書
【補正対象項目名】全文
【補正方法】変更
【補正の内容】
【考案の詳細な説明】
【技術分野】
【０００１】  本考案は液晶装置の前面と後面に位置する２枚の偏光フィルムの一部若しくは全体が同一の偏光角を有するか或いは偏光角と反対効果が現れるようにする反転フィルムを有し、または２枚の偏光フィルムの１部若しくは全体が９０度の偏光角を有するか或いは偏光角と反対効果が現れるようにする反転フィルムを有するように形成し、一部非透過性の停止表示面と表示しようとする文字や絵の周囲の一部または全部を光が透過しないように処理することによって、液晶装置のオン／オフで、相互異なる偏光角を有するフィルムに対応する表示内容が反復的に点滅を繰り返すことにより、動映像の効果がディスプレーされるようにする液晶表示装置に関するものである。
【背景技術】
【０００２】  一般的な液晶表示装置は、液晶装置と液晶装置の前面及び後面に偏光フィルム及び最後面に反射板が貼り付けられて、液晶装置の電極に電力が供給されると、その電源によって液晶装置のセグメント電極が他の部分と異なる表示を行うことによって、文字や絵などを表示するものである。【０００３】  しかし、このような液晶表示装置では、平面的で固定された文字や絵などのイメージの表示しかできないという問題がある。この問題を解決するために、本出願人は、大韓民国実用新案第２０−０３８０９７２号で、無表示液晶装置と液晶装置の前面及び後面に偏光フィルムと、また液晶装置の前面または後面のどちらか一側面に表示しようとする内容を直接透過性の印刷を施すか、または別途透過性フィルムに表示内容を印刷したものを貼り付けて、無表示液晶装置を駆動させることにより上記表示内容が順次的に表示される液晶表示装置を提示した。【０００４】  この提示で、液晶表示装置が駆動することによって表示された文字や絵などが「現れ」と「消え」を反復し、他の表示装置と比べて動的に演出されることによって、鮮明に目立つようになり、表示効果を極大化することが可能となったが、やはり同一の座標（位置）で「現れ」と「消え」を反復することにより、動的であるが静的に認知され、直ぐに食傷する問題点が依然残っている。
【考案の内容】
【解決しようとする課題】
【０００５】  本考案の目的は、上記のような問題点を解決するために、液晶装置の前面と後面に位置する２枚の偏光フィルムの一部若しくは全体が同一の偏光角を有するか、或いは偏光角と反対効果が現れるようにする反転フィルムを有し、または２枚の偏光フィルムが９０度の偏光角を有するか、或いは偏光角と反対効果が現れるようにする反転フィルムを有するように形成し、一部非透過性の停止表示面と表示しようとする文字や絵の周囲の一部または全部を光が透過しないように処理することによって、液晶装置のオン／オフで、相互異なる偏光角を有するフィルムに対応する表示内容が反復的に点滅を繰り返すことにより、動映像の効果がディスプレーされるような液晶表示装置を提供することである。
【課題を解決するための手段】
【０００６】  上記のような目的を達成するための本考案の液晶表示装置は、液晶装置と；液晶装置の前面または後面に配置される偏光フィルム（第１偏光フィルム）と；その偏光フィルムが位置する液晶装置の反対側の一側面に直接印刷された文字や絵、または液晶装置の一側面に別途透過性フィルムに表示内容を印刷したものを貼り付けて、その周囲を部分的に光が透過しないように処理した面が位置し、さらに第１偏光フィルムと同一の偏光角または９０度の偏光角を有する第２偏光フィルム（若しくは反転フィルム）と；第１偏光フィルムが位置する液晶装置の反対側の他の一側面に位置する非透過性停止表示部と；第２偏光フィルム（若しくは反転フィルム）の後面に位置しながら光を反射する反射板から全体が形成される。
【０００７】  液晶装置の一側面に直接印刷された文字や絵、または液晶装置の一側面に別途貼り付けられた透過性フィルムに印刷された文字や絵などの表示面は、第１偏光フィルムの前面または第１偏光フィルムと液晶装置の間（第１表示面）、また液晶装置と第２偏光フィルム（若しくは反転フィルム）の間（第２表示面）、または第２偏光フィルム（若しくは反転フィルム）と反射板の間（第３表示面）に位置することも可能で、液晶装置前面または後面に直接または間接的に印刷された表示内容を選択的に各位置に配置できることを特徴とする
【０００８】  また文字や絵などの表示内容は、液晶装置の一側面に直接印刷、または別途透過性フィルムに表示内容を印刷したものを貼り付けるか、または偏光フィルムに直接印刷するか、または偏光フィルムの一側面に別途透過性フィルムに表示内容を印刷したものを貼り付けることも可能である。
【考案の効果】
【０００９】  以上で考察したように、本考案の液晶表示装置は、一部光が透過しないように処理した非透過表示部分と、また相互異なる偏光角を有する偏光フィルムと反転フィルムで形成されることにより、液晶装置のオン／オフにより、画面のイメージ内容が動的に表現される長所がある。
【図面の簡単な説明】
【００１０】
【図１】は本考案の液晶表示装置が適用された例示図
【図２】は本考案の液晶表示装置が適用された例示図
【考案の実施のために具体的内容】
【００１１】  以下、本考案の実施例を図面を根拠に詳細に説明すれば次のとおりである。
【００１２】  図１は、本考案の液晶表示装置が適用された例示図である。  本考案の液晶装置は、２枚の透明板に挟まれた液晶装置（１２）本体と液晶のオン／オフを反復するように電源を提供する駆動部（未図示）から形成されている。  液晶装置（１２）は、電源がオンされることによって駆動を開始する。  すなわち電源がオフの状態で光の透過を遮断する液晶が、電源がオンされることにより光が液晶を透過する。（または電源がオフの状態で光が透過する液晶が、電源がオンされることにより光の透過が遮断される。）
【００１３】  液晶装置（１２）の前面には、透過した光を限定された方向にのみ進行させる第１偏光フィルム（１１）が位置し、液晶装置の後面には、１部非透過性停止表示面（１３）と第２偏光フィルム（１４）が位置し、その後面には反射板が位置する。
【００１４】  図１で示されているとおり、本実施例では、人体（イメージ）不動部が停止表示面（１３）に位置し、人の上げられた腕と下ろされた腕が第１表示面（１０）に位置するか、または液晶装置（１２）と停止表示部（１３）の間に位置することも可能である。停止表示部（１３）は、電源のオン／オフとは関係なく常に外部に表示されるため、停止表示部（１３）に対応する偏光フィルム（１１）は１枚のみ、または不要となる。  この時、人体（イメージ）不動部以外の部分は不透明に着色するか、或いは一部透明の状態の背景として使用することも可能である。
【００１５】  また、第１表示面（１０）の上げられた腕の部分に対応する第１偏光フィルム（１１）が液晶装置（１２）の前面に位置し、液晶装置（１２）の後面には、第１偏光フィルムと同一の偏光角を有するように構成された第２偏光フィルム（１４）と反転フィルム（１５）を位置させ、また、第１表示面（１０）の下ろされた腕の部分に対応する第１偏光フィルム（１１）が液晶装置（１２）の前面に位置し、液晶装置（１２）の後面には、第１偏光フィルムと９０度の偏光角を有するように構成された第２偏光フィルム（１４）と反転フィルム（１５）を位置させる。
【００１６】  これにより、液晶装置（１２）の電源がオンになると、図２−ａのように、人体（イメージ）不動部と上げられた腕が表示され、電源がオフになると図２−ｂのように、人体（イメージ）不動部と下ろされた腕が表示される。  従って、液晶装置の電源が順次的にオン／オフされると腕を上げた姿と下ろした姿が反復して表示され、腕が動いているように認識させることができる。
【符号の説明】
【００１７】１０：第１表示面
１１：第１偏光フィルム
１２：液晶装置
１３：停止表示面
１４：第２偏光フィルム
１５：反転フィルム
１６：反射板
【手続補正３】
【補正対象書類名】図面
【補正対象項目名】全図
【補正方法】変更
【補正の内容】
【図１】
0003155726.tif 000010
【図２】
0003155726.tif 000011